(57)【要約】【課題】リテーナの強度を低下させることなく、リテーナとレバーとの干渉を回避する。【解決手段】レバー式コネクタは、雌端子金具２５が挿入される雌ハウジング２１と、雌ハウジング２１に回動可能に取り付けられ、雌ハウジング２１の前面２１Ｆ（外面）と対向する第１アーム部３１Ｆを有するレバー３０と、雌ハウジング２１に取り付けられ、仮係止位置から本係止位置へ変位可能なリテーナ２７と、リテーナ２７を構成し、仮係止位置のときに雌ハウジング２１の前面２１Ｆから突出し、本係止位置のときに雌ハウジング２１の内部に収容される外壁部２８と、雌ハウジング２１の前面２１Ｆに突出形成され、雌ハウジング２１の前面２１Ｆと第１アーム部３１Ｆの内面との間に外壁部２８を収容可能な収容空間３７を構成する突起部３６Ａ，３６Ｂ，３６Ｃ，３６Ｄ，３６Ｅとを備える。【選択図】図９
2018006154.tif 000002
【特許請求の範囲】
【請求項１】
雌端子金具が挿入される雌ハウジングと、
前記雌ハウジングに回動可能に取り付けられ、前記雌ハウジングの外面と対向するアーム部を有するレバーと、
前記雌ハウジングに取り付けられ、前記雌ハウジングに対する前記雌端子金具の挿入を許容する仮係止位置から、前記雌ハウジングに挿入された前記雌端子金具を抜止めする本係止位置へ変位可能なリテーナと、
前記リテーナを構成し、前記リテーナが仮係止位置にあるときには前記雌ハウジングの外面から突出し、前記リテーナが本係止位置にあるときには前記雌ハウジングの内部に収容される外壁部と、
前記雌ハウジングの外面に突出形成され、前記雌ハウジングの外面と前記アーム部の内面との間に前記外壁部を収容可能な収容空間を構成する突起部とを備えていることを特徴とするレバー式コネクタ。
【請求項２】
フード部を有する雄ハウジングと、
前記雄ハウジングに形成され、前記リテーナが仮係止位置にある状態で前記フード部に前記雌ハウジングが嵌入されたときに前記外壁部と干渉する検知リブとを備えていることを特徴とする請求項１記載のレバー式コネクタ。
【請求項３】
前記雌ハウジングと前記雄ハウジングの嵌合過程で、前記検知リブが前記雌ハウジングの外面に摺接可能であることを特徴とする請求項２記載のレバー式コネクタ。
【請求項４】
前記雌ハウジングと前記雄ハウジングの嵌合過程で、前記検知リブが前記アーム部の内面に摺接可能であることを特徴とする請求項２又は請求項３記載のレバー式コネクタ。
【発明の詳細な説明】
【技術分野】
【０００１】
本発明は、レバー式コネクタに関するものである。
【背景技術】
【０００２】
特許文献１には、端子金具が挿入される雌側コネクタハウジングと、雌側コネクタハウジングに回動可能に取り付けたレバーと、雌側コネクタハウジングに取り付けられて端子金具を抜止めするリテーナとを備えたレバー式コネクタが開示されている。リテーナは、雌側コネクタハウジングに対する端子金具の挿入を許容する仮係止位置と、雌側コネクタハウジングに挿入した端子金具を抜止めする本係止位置との間で変位する。リテーナが仮係止位置にある状態では、リテーナの外壁部が雌側コネクタハウジングの外面よりも突出するため、リテーナの外壁部には、レバーとの干渉を回避するための逃がし部が形成されている。
【先行技術文献】
【特許文献】
【０００３】
【特許文献１】特開平１０−０５５８５３号公報
【発明の概要】
【発明が解決しようとする課題】
【０００４】
逃がし部はリテーナの外壁部を凹ませた形態であるため、逃がし部を形成したことによってリテーナの外壁部の強度が低下することが懸念される。
本発明は上記のような事情に基づいて完成されたものであって、リテーナの強度を低下させることなく、リテーナとレバーとの干渉を回避することを目的とする。
【課題を解決するための手段】
【０００５】
本発明のレバー式コネクタは、
雌端子金具が挿入される雌ハウジングと、
前記雌ハウジングに回動可能に取り付けられ、前記雌ハウジングの外面と対向するアーム部を有するレバーと、
前記雌ハウジングに取り付けられ、前記雌ハウジングに対する前記雌端子金具の挿入を許容する仮係止位置から、前記雌ハウジングに挿入された前記雌端子金具を抜止めする本係止位置へ変位可能なリテーナと、
前記リテーナを構成し、前記リテーナが仮係止位置にあるときには前記雌ハウジングの外面から突出し、前記リテーナが本係止位置にあるときには前記雌ハウジングの内部に収容される外壁部と、
前記雌ハウジングの外面に突出形成され、前記雌ハウジングの外面と前記アーム部の内面との間に前記外壁部を収容可能な収容空間を構成する突起部とを備えているところに特徴を有する。
【発明の効果】
【０００６】
この構成によれば、リテーナの外壁部が雌ハウジングの外面から突出しても、雌ハウジングの外面とアーム部の内面との間には、外壁部を収容するための収容空間が確保されているので、リテーナの外壁部がアーム部と干渉することはない。リテーナとアーム部との干渉を回避する手段として、リテーナの外壁部を凹ませる必要がないので、リテーナの強度低下を回避することができる。
【図面の簡単な説明】
【０００７】
【図１】実施例１において、リテーナが本係止位置にある雌ハウジングを、雄ハウジングのフード部に浅く嵌合した状態をあらわす平面図
【図２】図１のＡ−Ａ線断面図
【図３】雄ハウジングと雌側コネクタを嵌合した状態をあらわす平面図
【図４】図３のＢ−Ｂ線断面図
【図５】図３のＣ−Ｃ線断面図
【図６】リテーナが仮係止位置にある雌ハウジングを、雄ハウジングのフード部に浅く嵌合した状態をあらわす平面図
【図７】図６のＤ−Ｄ線断面図
【図８】リテーナが本係止位置にあり、レバーが嵌合位置にある状態をあらわす雌ハウジングの平面図
【図９】リテーナが仮係止位置にあり、レバーが嵌合位置にある状態をあらわす雌ハウジングの平面図
【図１０】レバーが嵌合位置にある状態をあらわす正面図
【図１１】レバーが嵌合位置にある状態をあらわす背面図
【図１２】レバーの正面図
【図１３】レバーの背面図
【図１４】レバーの平面図
【図１５】雄ハウジングの平面図
【図１６】図１５のＥ−Ｅ線断面図
【発明を実施するための形態】
【０００８】
本発明は、フード部を有する雄ハウジングと、前記雄ハウジングに形成され、前記リテーナが仮係止位置にある状態で前記フード部に前記雌ハウジングが嵌入されたときに前記外壁部と干渉する検知リブとを備えていてもよい。この構成によれば、リテーナが仮係止位置にある状態で、雌ハウジングをフード部内に嵌入すると、リテーナの外壁部と検知リブが干渉するので、フード部内に雌ハウジングが嵌入する動作が規制される。これにより、リテーナが仮係止位置と本係止位置のいずれの位置にあるかを検知することができる。
【０００９】
本発明は、前記雌ハウジングと前記雄ハウジングの嵌合過程で、前記検知リブが前記雌ハウジングの外面に摺接可能であってもよい。この構成によれば、検知リブと雌ハウジングの外面とが摺接することにより、雄ハウジングと雌ハウジングとの間でこじりが生じることを防止できる。
【００１０】
本発明は、前記雌ハウジングと前記雄ハウジングの嵌合過程で、前記検知リブが前記アーム部の内面に摺接可能であってもよい。この構成によれば、検知リブとアーム部の内面とが摺接することにより、アーム部の不正な変形を防止することができる。
【００１１】
＜実施例１＞
以下、本発明を具体化した実施例１を図１〜図１６を参照して説明する。尚、以下の説明において、前後の方向については、図１，３，６，８，９，１４，１５における下方、及び図５，７における左方を、前方と定義する。上下の方向については、図２，４，５，７，１０，１１，１６にあらわれる向きを、そのまま上方、下方と定義する。左右の方向については、図１〜４，６，８〜１２，１４〜１６にあらわれる向きを、そのまま左方、右方と定義する。
【００１２】
本実施例１のレバー式コネクタは、雄コネクタ１０と雌コネクタ２０とを備えて構成されている。雄コネクタ１０は、合成樹脂製の雄ハウジング１１と、複数の雄端子金具１７とを備えて構成されている。図１５に示すように、雄ハウジング１１は、平面視形状が前後寸法よりも左右寸法の大きい略方形をなす底壁部１２と、底壁部１２の外周縁から上方へ突出した角筒状のフード部１３とを備えている。複数の雄端子金具１７は、底壁部１２を上下に貫通した状態で雄ハウジング１１に取り付けられている。
【００１３】
フード部１３を構成する前壁部１４Ｆには、その内面から突出したカムフォロア１５Ｆが形成されている。フード部１３を構成する後壁部１４Ｒにも、その内面から突出したカムフォロア１５Ｒが形成されている。前後両カムフォロア１５Ｆ，１５Ｒは、左右方向において前壁部１４Ｆ及び後壁部１４Ｒの中央部に配されている。底壁部１２のうち前壁部１４Ｆに近い位置には、左右方向に間隔を空けた一対の平板状をなす検知リブ１６が形成されている。検知リブ１６は、フード部１３の内部に収容され、前壁部１４Ｆの内面に対し、所定の間隔を空けて平行に対向するように配されている。また、一方の検知リブ１６はカムフォロア１５Ｆ，１５Ｒよりも左方に配され、他方の検知リブ１６はカムフォロア１５Ｆ，１５Ｒよりも右方に配されている。
【００１４】
雌コネクタ２０は、合成樹脂製の雌ハウジング２１と、複数の雌端子金具２５と、リテーナ２７と、レバー３０とを備えて構成されている。図１，３，６〜９に示すように、雌ハウジング２１はブロック状をなし、レバー３０とともにフード部１３内に嵌入されるようになっている。雌ハウジング２１の内部には複数の端子収容室２２が形成され、各端子収容室２２内には雌ハウジング２１の上方から雌端子金具２５が挿入されている。雌ハウジング２１の前面２１Ｆ（請求項に記載の外面）と後面２１Ｒには、夫々、支持軸２３Ｆ，２３Ｒが突出形成されている。前後両支持軸２３Ｆ，２３Ｒは、左右方向においては雌ハウジング２１の中央位置に配され、上下方向においては雌ハウジング２１の中央位置より高い位置に配されている。
【００１５】
図７に示すように、雌ハウジング２１の内部には、複数の端子収容室２２に連通する取付け空間２４が形成されている。取付け空間２４は、上下方向（両ハウジング１１，２１の嵌合方向と平行な方向）においては雌ハウジング２１の略中央部、即ち支持軸２３Ｆ，２３Ｒより下方の位置に配され、雌ハウジング２１の前面２１Ｆに開放されている。雌ハウジング２１の前面２１Ｆにおける取付け空間２４の開口形状は、左右方向に長いスリット状（略方形）をなしている。取付け空間２４内には、雌ハウジング２１の前方からリテーナ２７が取り付けられている。
【００１６】
リテーナ２７は、左右方向に細長いブロック状をなす。リテーナ２７の前端面部は、その全領域に亘り、雌ハウジング２１の前面２１Ｆにおいて雌ハウジング２１の外部に露出する外壁部２８となっている。リテーナ２７は、外壁部２８を雌ハウジング２１の前面２１Ｆより前方へ突出させる仮係止位置（図６，７，９を参照）と、外壁部２８を含めたリテーナ２７の全体を取付け空間２４内に収容する本係止位置（図１，３，５を参照）とのいずれかに選択的に保持されるようになっている。リテーナ２７が本係止位置にある状態では、外壁部２８の外面が雌ハウジング２１の前面２１Ｆに対し面一状となるように位置する。
リテーナ２７には、複数の端子収容室２２と対応する複数の貫通孔２９が形成されている。リテーナ２７が仮係止位置にある状態では、各貫通孔２９が、端子収容室２２に対する雌端子金具２５の挿抜を許容する位置に配される。また、リテーナ２７が本係止位置に押し込まれると、貫通孔２９の孔縁部が雌端子金具２５に対し上から係止し、この係止作用により全ての雌端子金具２５が抜止めされ、端子収容室２２内に挿入された状態に保持される。
【００１７】
レバー３０は、概ね板状をなす第１アーム部３１Ｆ（請求項に記載のアーム部）と、概ね板状をなす第２アーム部３１Ｒと、連結部３２と、操作部３３とを備えた単一部品である。第１アーム部３１Ｆと第２アーム部３１Ｒは、板厚方向を前後方向に向けている。第１アーム部３１Ｆと第２アーム部３１Ｒには、夫々、軸受孔３４Ｆ，３４Ｒとカム溝３５Ｆ，３５Ｒが形成されている。連結部３２は、第１アーム部３１Ｆの左端部と第２アーム部３１Ｒの左端部とを連結した形態である。操作部３３は、第２アーム部３１Ｒの左端部から後方へ突出した形態である。
【００１８】
レバー３０は、第１アーム部３１Ｆの軸受孔３４Ｆを雌ハウジング２１の前面２１Ｆの支持軸２３Ｆに嵌合するとともに、第２アーム部３１Ｒの軸受孔３４Ｒを雌ハウジング２１の後面２１Ｒの支持軸２３Ｒに嵌合することにより、雌ハウジング２１に対し初期位置（図１，２，６，７を参照）と嵌合位置（図３〜５，８〜１１を参照）との間で回動し得るようになっている。レバー３０を雌ハウジング２１に取り付けた状態では、第１アーム部３１Ｆが雌ハウジング２１の前面２１Ｆと対向するように配され、第２アーム部３１Ｒが雌ハウジング２１の後面２１Ｒと対向するように配される。
【００１９】
第２アーム部３１Ｒの内面（雌ハウジング２１との対向面）と雌ハウジング２１の後面２１Ｒとは、殆ど隙間を空けずに摺接し得るような位置関係となっている。これに対し、第１アーム部３１Ｆの内面（雌ハウジング２１との対向面）と雌ハウジング２１の前面２１Ｆとは、所定の間隔を空けた位置関係となっている。間隔を空けるのは、次の理由による。
【００２０】
雌ハウジング２１に雌端子金具２５を挿入する作業は、レバー３０を雌ハウジング２１に取り付けて初期位置に保持し、リテーナ２７を仮係止位置に保持した状態で行われる。レバー３０が初期位置から嵌合位置へ回動する過程では、第１アーム部３１Ｆの位置と向きが変化するのであるが、第１アーム部３１Ｆの位置と向きが如何様に変化しても、第１アーム部３１Ｆの少なくとも一部とリテーナ２７の少なくとも一部は、正面視において必ず重なる。そのため、リテーナ２７が仮係止位置にあって外壁部２８が雌ハウジング２１の前面２１Ｆから第１アーム部３１Ｆ側へ突出した状態では、外壁部２８と初期位置の第１アーム部３１Ｆとが干渉してしまうことが懸念される。
【００２１】
そこで、外壁部２８と第１アーム部３１Ｆとの干渉を回避するために、雌ハウジング２１の前面２１Ｆに第１〜第５の５つの突起部３６Ａ，３６Ｂ，３６Ｃ，３６Ｄ，３６Ｅを形成した。そして、これら５つの突起部３６Ａ，３６Ｂ，３６Ｃ，３６Ｄ，３６Ｅを形成したことにより、第１アーム部３１Ｆの内面と、雌ハウジング２１の前面２１Ｆとの間には、外壁部２８を収容するための収容空間３７が構成されている。収容空間３７は、平面視において左右方向に細長いスリット状をなしている。
【００２２】
図１０に示すように、５つの突起部３６Ａ，３６Ｂ，３６Ｃ，３６Ｄ，３６Ｅの正面視形状は、いずれも、左右寸法より上下寸法の大きい方形をなしている。５つの突起部３６Ａ，３６Ｂ，３６Ｃ，３６Ｄ，３６Ｅの上端の位置は、いずれも、雌ハウジング２１の上端と同じ高さである。５つの突起部３６Ａ，３６Ｂ，３６Ｃ，３６Ｄ，３６Ｅの下端の位置は、いずれも、取付け空間２４の上縁（リテーナ２７の外壁部２８の上端縁）より僅かに上方の位置であり、同じ高さに揃っている。また、雌ハウジング２１の前面２１Ｆからの５つの突起部３６Ａ，３６Ｂ，３６Ｃ，３６Ｄ，３６Ｅの突出寸法は、いずれも同じであり、リテーナ２７が仮係止位置にあるときの雌ハウジング２１の前面２１Ｆからの外壁部２８の突出寸法と同じか、それよりも僅かに大きい寸法である。
【００２３】
最も左側に位置する第１突起部３６Ａは、左右寸法が最も小さく、左から２番目に位置する第２突起部３６Ｂの左右寸法は、２番目に小さい。左右寸法が３番目に小さいのは、右から２番目に位置する第４突起部３６Ｄである。左右寸法の最も大きいのは、左右方向中央に位置する第３突起部３６Ｃと、最も右側に位置する第５突起部３６Ｅである。レバー３０を支持する前側の支持軸２３Ｆは、第４突起部３６Ｄから突出している。したがって、第１突起部３６Ａ、第２突起部３６Ｂ、第３突起部３６Ｃは、支持軸２３Ｆより左方に配され、第２突起部３６Ｂは支持軸２３Ｆよりも右方に配されている。
【００２４】
次に、本実施例１の作用及び効果を説明する。雌コネクタ２０を組み付ける際には、リテーナ２７を雌ハウジング２１に取り付けて仮係止位置に保持し、その後、レバー３０を雌ハウジング２１に取り付けて初期位置に保持する。このとき、雌ハウジング２１の前面２１Ｆからはリテーナ２７の外壁部２８が突出し、正面視において外壁部２８の一部が第１アーム部３１Ｆの一部と重なる。しかし、外壁部２８は、雌ハウジング２１の前面２１Ｆと第１アーム部３１Ｆの内面との間に構成されている収容空間３７内に収容されるので、外壁部２８と第１アーム部３１Ｆが干渉することはない。
【００２５】
雌ハウジング２１にリテーナ２７とレバー３０を取り付けた後、雌ハウジング２１に雌端子金具２５を挿入する。全ての雌端子金具２５の挿入が完了したら、リテーナ２７を本係止位置へ押し込む。このとき、外壁部２８の外面を正面側（前方）から押すのであるが、外壁部２８のうち正面視において第１アーム部３１Ｆと重なるのは、外壁部２８の一部だけである。したがって、外壁部２８のうち第１アーム部３１Ｆと重ならない領域を押すことによって、リテーナ２７を本係止位置へ押し込むことができる。
【００２６】
また、不完全に挿入状態（半挿入状態）の雌端子金具２５が存在している場合には、リテーナ２７を本係止位置へ押し込もうとしても、貫通孔２９の孔縁部が半挿入状態の雌端子金具２５と干渉するので、リテーナ２７を本係止位置へ押し込むことができない。したがって、リテーナ２７を本係止位置へ移動させれることができるか否かに基づいて、雌端子金具２５の挿入状態を検知することができる。
【００２７】
リテーナ２７を仮係止位置から本係止位置へ移動させた後、レバー３０を初期位置に保持したままで、雌コネクタ２０を上からフード部１３内に嵌入する。このとき、リテーナ２７が正しく本係止位置へ押し込まれていれば、図２に示すように、カム溝３５Ｆ，３５Ｒの入口にカムフォロア１５Ｆ，１５Ｒが進入する。この後、レバー３０を初期位置から嵌合位置（図２における時計回り方向）へ回動させていくと、両ハウジング１１，２１が引き寄せられていく。そして、レバー３０が嵌合位置に到達すると、両ハウジング１１，２１が正規の嵌合状態となる。
【００２８】
また、リテーナ２７を本係止位置へ押し込む作業を忘れたままで、雌コネクタ２０をフード部１３内に嵌入した場合は、外壁部２８と検知リブ１６の上端部とが干渉する。そのため、カムフォロア１５Ｆ，１５Ｒがカム溝３５Ｆ，３５Ｒの入口に進入することができず、レバー３０を嵌合位置側へ回動させることができない。この場合、レバー３０を嵌合位置側へ回動させることができないので、リテーナ２７が本係止位置へ押し込まれていないことを検知できる。
【００２９】
仮に、外壁部２８と検知リブ１６が干渉せずにカムフォロア１５Ｆ，１５Ｒがカム溝３５Ｆ，３５Ｒの入口に進入したとしても、レバー３０を嵌合位置側へ回動させて両ハウジング１１，２１を嵌合させる過程で、外壁部２８と検知リブ１６が干渉する。干渉すると、それ以上のリテーナ２７の嵌合動作が規制されるので、レバー３０を嵌合位置まで到達させることができない。この場合も、リテーナ２７が本係止位置へ押し込まれていないことを検知できる。
【００３０】
また、雌ハウジング２１と雄ハウジング１１の嵌合過程では、検知リブ１６が雌ハウジング２１の前面２１Ｆ（外面）に摺接可能となっている。この構成によれば、検知リブ１６と雌ハウジング２１の前面２１Ｆとが摺接することにより、雄ハウジング１１と雌ハウジング２１との間で前後方向に傾くようなこじりが生じることを防止できる。
【００３１】
また、第１アーム部３１Ｆは、雌ハウジング２１の前面２１Ｆとの間に収容空間３７を空けているため、カムフォロア１５Ｆ，１５Ｒからカム溝３５Ｆ，３５Ｒのカム面に作用する押圧力によって第１アーム部３１Ｆが湾曲のような不正な変形を来すことが懸念される。しかし、両ハウジング１１，２１が嵌合する過程では、検知リブ１６の前面２１Ｆが第１アーム部３１Ｆの内面に摺接し、第１アーム部３１Ｆが、検知リブ１６とフード部１３の前壁部１４Ｆとの間で板厚方向に挟まれた状態になるので、第１アーム部３１Ｆが不正に変形することを防止できる。
【００３２】
上述のように本実施例１のレバー式コネクタは、雌端子金具２５が挿入される雌ハウジング２１と、レバー３０と、リテーナ２７とを備える。レバー３０は、雌ハウジング２１に回動可能に取り付けられ、雌ハウジング２１の前面２１Ｆ（外面）と対向する第１アーム部３１Ｆを有している。リテーナ２７は、雌ハウジング２１に取り付けられ、雌ハウジング２１に対する雌端子金具２５の挿入を許容する仮係止位置から、雌ハウジング２１に挿入された雌端子金具２５を抜止めする本係止位置へ変位可能となっている。
【００３３】
リテーナ２７の前端面部は外壁部２８となっている。外壁部２８は、リテーナ２７を構成するものであり、リテーナ２７が仮係止位置にあるときには雌ハウジング２１の外面から突出し、リテーナ２７が本係止位置にあるときには雌ハウジング２１の内部に収容される。そして、雌ハウジング２１の前面２１Ｆ（外面）には、複数（５つ）の突起部３６Ａ，３６Ｂ，３６Ｃ，３６Ｄ，３６Ｅが突出形成されている。これらの突起部３６Ａ，３６Ｂ，３６Ｃ，３６Ｄ，３６Ｅは、雌ハウジング２１の前面２１Ｆ（外面）と第１アーム部３１Ｆの内面との間に外壁部２８を収容可能な収容空間３７を構成するものである。
【００３４】
この構成によれば、リテーナ２７の外壁部２８が雌ハウジング２１の外面から突出しても、雌ハウジング２１の外面と第１アーム部３１Ｆの内面との間には、外壁部２８を収容するための収容空間３７が確保されているので、リテーナ２７の外壁部２８が第１アーム部３１Ｆと干渉することはない。本実施例１では、リテーナ２７と第１アーム部３１Ｆとの干渉を回避する手段として、リテーナ２７の外壁部２８を凹ませる必要がないので、リテーナ２７の強度低下を回避することができる。
【００３５】
また、レバー式コネクタは、フード部１３を有する雄ハウジング１１と、雄ハウジング１１に形成された検知リブ１６とを備えている。検知リブ１６は、リテーナ２７が仮係止位置にある状態でフード部１３に雌ハウジング２１が嵌入したときに、外壁部２８と干渉するようになっている。この構成によれば、リテーナ２７が仮係止位置にある状態で、雌ハウジング２１をフード部１３内に嵌入すると、リテーナ２７の外壁部２８と検知リブ１６が干渉するので、フード部１３内に雌ハウジング２１を収容する動作や、レバー３０を初期位置から嵌合位置へ回動する動作が規制される。リテーナ２７が本係止位置にあれば、レバー３０を嵌合位置へ回動させてフード部１３内に雌ハウジング２１を嵌入させることができる。したがって、本実施例１によれば、リテーナ２７が仮係止位置と本係止位置のいずれの位置にあるかを検知することができる。
【００３６】
＜他の実施例＞
本発明は上記記述及び図面によって説明した実施例に限定されるものではなく、例えば次のような実施例も本発明の技術的範囲に含まれる。
（１）上記実施例１では、５つの突起部を設けたが、突起部の数は、４つ以下でもよく、６つ以上でもよい。
（２）上記実施例１では、複数の突起部を左右方向に間隔を空けて設けたが、左右方向に長く延びた１つの突起部を設けてもよい。
（３）上記実施例１では、雄ハウジングと雌ハウジングの嵌合過程で、検知リブが雌ハウジングの外面に摺接するようにしたが、検知リブは、両ハウジングの嵌合過程で雌ハウジングの外面と非接触であってもよい。
（４）上記実施例１では、雄ハウジングと雌ハウジングの嵌合過程で、検知リブがアーム部の内面に摺接するようにしたが、検知リブは、両ハウジングの嵌合過程でアーム部の内面と非接触であってもよい。
（５）上記実施例１では、検知リブを左右一対設けたが、検知リブの数は、１つだけでもよく、３つ以上でもよい。
（６）上記実施例１では、雄ハウジングに検知リブを形成したが、雄ハウジングは検知リブを有しないものであってもよい。
【符号の説明】
【００３７】
１１…雄ハウジング
１３…フード部
１６…検知リブ
２１…雌ハウジング
２１Ｆ…雌ハウジングの前面（外面）
２５…雌端子金具
２７…リテーナ
２８…外壁部
３０…レバー
３１Ｆ…第１アーム部（アーム部）
３６Ａ，３６Ｂ，３６Ｃ，３６Ｄ，３６Ｅ…突起部
３７…収容空間
【図１】
2018006154.tif 000003
【図２】
2018006154.tif 000004
【図３】
2018006154.tif 000005
【図４】
2018006154.tif 000006
【図５】
2018006154.tif 000007
【図６】
2018006154.tif 000008
【図７】
2018006154.tif 000009
【図８】
2018006154.tif 000010
【図９】
2018006154.tif 000011
【図１０】
2018006154.tif 000012
【図１１】
2018006154.tif 000013
【図１２】
2018006154.tif 000014
【図１３】
2018006154.tif 000015
【図１４】
2018006154.tif 000016
【図１５】
2018006154.tif 000017
【図１６】
2018006154.tif 000018